(57)【要約】【課題】  コントローラがスタンバイ状態に移行するのに並行して、ユーザが実行すべきジョブ処理機能で特定されるデバイスへの電力供給を開始する。【解決手段】    なる処理を行う複数のデバイスと、各デバイスを用いて行うジョブ処理を制御する制御手段と、ジョブ処理を実行可能な状態に遷移させる指示を受け付ける受付手段と、前記指示を受け付けることに応じて、前記制御手段をスタンバイ状態に遷移させる際、表示すべき初期画面に対応づけられたジョブ処理の機能に基づいて特定されるデバイスに電力を供給する電力制御手段と、を備えることを特徴とする。【選択図】  図４
2014089493.tif 000002
【特許請求の範囲】
【請求項１】
異なる処理を行う複数のデバイスと、
各デバイスを用いて行うジョブ処理を制御する制御手段と、
ジョブ処理を実行可能な状態に遷移させる指示を受け付ける受付手段と、
前記指示を受け付けることに応じて、前記制御手段をスタンバイ状態に遷移させる際、表示すべき初期画面に対応づけられたジョブ処理の機能に基づいて特定されるデバイスに電力を供給する電力制御手段と、
を備えることを特徴とする画像形成装置。
【請求項２】
前記ジョブ処理を実行可能な状態に遷移させる指示は、電源投入指示または省電力状態から通常状態に復帰させる指示であることを特徴とする請求項１記載の画像形成装置。
【請求項３】
前記初期画面に表示すべきジョブ処理の機能を選択する選択手段と、
前記選択されたジョブ処理機能に基づく機能設定画面を初期画面として記憶する記憶手段と、を備え、
前記制御手段は、記憶されたジョブ処理機能に応じて、表示すべき初期画面を特定されることを特徴とする請求項１記載の画像形成装置。
【請求項４】
異なる処理を行う複数のデバイスと、
各デバイスを用いて行うジョブ処理を制御する制御手段と、
ジョブ処理を実行可能な状態に遷移させる指示をユーザから受け付ける受付手段と、
前記指示を受け付けることに応じて、前記制御手段をスタンバイ状態に遷移させる際、表示すべき初期画面を用いてユーザが選択するジョブ処理の機能を実行可能であるかどうかを登録されたユーザ情報に基づいて判断する判断手段と、
ユーザが選択するジョブ処理の機能を実行可能であると判断した場合は、選択されたジョブ処理の機能で特定されるデバイスに電力を供給する電力制御手段と、を備えることを特徴とする画像形成装置。
【請求項５】
異なる処理を行う複数のデバイスと、
ジョブ処理を要求するユーザを認証する認証手段と、
各デバイスを用いて行うジョブ処理を制御する制御手段と、
前記ユーザが認証されることに応じて、前記制御手段をスタンバイ状態に遷移させる際、認証されたユーザが直前に選択したジョブ処理の機能から特定されるデバイスに電力を供給する電力制御手段と、
を備えることを特徴とする画像形成装置。
【請求項６】
前記デバイスは、プリント処理機能を実行するプリント手段、スキャン処理機能を実行するスキャナ手段と、前記プリント手段または前記スキャナ手段のために行う画像処理機能を実行する画像処理手段と、を含むことを特徴とする請求項１乃至５のいずれか１項に記載の画像形成装置。
【請求項７】
異なる処理を行う複数のデバイスと、各デバイスを用いて行うジョブ処理を制御する制御手段とを備える画像形成装置の制御方法であって、
ジョブ処理を実行可能な状態に遷移させる指示を受け付ける受付工程と、
前記指示を受け付けることに応じて、前記制御手段をスタンバイ状態に遷移させる際、表示すべき初期画面に対応づけられたジョブ処理の機能に基づいて特定されるデバイスに電力を供給する電力制御工程と、
を備えることを特徴とする画像形成装置の制御方法。
【請求項８】
異なる処理を行う複数のデバイスと、各デバイスを用いて行うジョブ処理を制御する制御手段とを備える画像形成装置の制御方法であって、
ジョブ処理を実行可能な状態に遷移させる指示をユーザから受け付ける受付工程と、
前記指示を受け付けることに応じて、前記制御手段をスタンバイ状態に遷移させる際、表示すべき初期画面を用いてユーザが選択するジョブ処理の機能を実行可能であるかどうかを登録されたユーザ情報に基づいて判断する判断工程と、
ユーザが選択するジョブ処理の機能を実行可能であると判断した場合は、選択されたジョブ処理の機能で特定されるデバイスに電力を供給する電力制御工程と、を備えることを特徴とする画像形成装置の制御方法。
【請求項９】
異なる処理を行う複数のデバイスと、各デバイスを用いて行うジョブ処理を制御する制御手段とを備える画像形成装置の制御方法であって、
ジョブ処理を要求するユーザを認証する認証工程と、
前記ユーザが認証されることに応じて、前記制御手段をスタンバイ状態に遷移させる際、認証されたユーザが直前に選択したジョブ処理の機能から特定されるデバイスに電力を供給する電力制御工程と、
を備えることを特徴とする画像形成装置の制御方法。
【請求項１０】
請求項７乃至９のいずれか１項に記載の画像形成装置の制御方法をコンピュータに実行させることを特徴とするプログラム。
【発明の詳細な説明】
【技術分野】
【０００１】
本発明は、画像形成装置、画像形成装置の制御方法、及びプログラムに関するものである。
【背景技術】
【０００２】
現在オフィスにおいて省電力効果の高い事務機（画像形成装置）が要望されている。そのため画像形成装置のＯＮ／ＯＦＦや、画像形成装置全体の省電力モードだけではなく、スタンバイ中であっても使用しない個所の電源を落とす事で、より実効電力を下げる事ができるＭＦＰ（Ｍｕｌｔｉ  Ｆｕｎｃｔｉｏｎ  Ｐｒｉｎｔｅｒ）が考えられている。
【０００３】
例えば特許文献１では、ファクスの受信動作中は、定着部や給紙系の電源をオフすることで省電力を図っている。プリンタの印字動作中は、操作パネルやイメージスキャナ部の電源をオフすることで省電力など、選択されたアプリケーション機能に応じて装置各部を省電力制御している。
【先行技術文献】
【特許文献】
【０００４】
【特許文献１】特開２００１−２０１９８６号公報
【発明の概要】
【発明が解決しようとする課題】
【０００５】
画像形成装置において高い省電力効果を得るためには、例えばプリンタやスキャナ等のデバイスは、使用する時にデバイスの電源を入れ、使用し終わったらすぐに電源を落とす、ということが考えられる。
【０００６】
しかし、デバイスによっては電源を入れた後の初期化処理に時間がかかるため、ユーザが任意の機能を使用するたびに待ち時間が発生してしまう。すなわち、初期化に時間がかかるデバイスを頻繁に使うようなユーザにとっては、使用開始時における画像形成装置のユーザ応答性が著しく低下してしまう。
なお、このような事態は、ユーザが画像形成装置において実行すべき画面設定や、ユーザに設定された機能選択の権限や、認証されるユーザの画像形成装置における使用される機能の履歴等を要因としても同様に発生する課題である。つまり、上記のような状況では、画像形成装置のコントローラが復帰した後でないと、ユーザが要求するデバイスへの電力供給が開始されず、その分、ユーザは待ち時間が発生する。また、これをユーザの要求とは独立して全ての機能を実行可能とすると、全てのデバイスに電力供給を行うこととなり、不要な機能のために、無駄な電力が消費されてしまう事態となってしまう。
【０００７】
本発明は、上記の課題を解決するためになされたもので、本発明の目的は、コントローラがスタンバイ状態に移行するのに並行して、ユーザが実行すべきジョブ処理機能で特定されるデバイスへの電力供給を開始できる仕組みを提供することである。
【課題を解決するための手段】
【０００８】
上記目的を達成する本発明の画像形成装置は以下に示す構成を備える。
異なる処理を行う複数のデバイスと、各デバイスを用いて行うジョブ処理を制御する制御手段と、ジョブ処理を実行可能な状態に遷移させる指示を受け付ける受付手段と、前記指示を受け付けることに応じて、前記制御手段をスタンバイ状態に遷移させる際、表示すべき初期画面に対応づけられたジョブ処理の機能に基づいて特定されるデバイスに電力を供給する電力制御手段と、を備えることを特徴とする。
【発明の効果】
【０００９】
本発明によれば、コントローラがスタンバイ状態に移行するのに並行して、ユーザが実行すべきジョブ処理機能で特定されるデバイスへの電力供給を開始できる。
また、ユーザが必要とするデバイス以外への電力供給を制限できるため、省電力効果も期待できるとともに、コントローラがスタンバイ状態移行後には、速やかにユーザが要求するジョブ処理を実行できる。
【図面の簡単な説明】
【００１０】
【図１】画像形成装置の構成を説明するブロック図である。
【図２Ａ】図１に示した操作部に表示されるＵＩ画面の例を示す図である。
【図２Ｂ】図１に示した操作部に表示されるＵＩ画面の例を示す図である。
【図２Ｃ】図１に示した操作部に表示されるＵＩ画面の例を示す図である。
【図２Ｄ】図１に示した操作部に表示されるＵＩ画面の例を示す図である。
【図２Ｅ】図１に示した操作部に表示されるＵＩ画面の例を示す図である。
【図２Ｆ】図１に示した操作部に表示されるＵＩ画面の例を示す図である。
【図３】画像形成装置におけるジョブ処理と通電デバイスとの対応を示す図である。
【図４】画像形成装置の制御方法を説明するフローチャートである。
【図５】図１に示した操作部に表示されるＵＩ画面の一例を示す図である。
【図６】画像形成装置の制御方法を説明するフローチャートである。
【図７】画像形成装置の制御方法を説明するフローチャートである。
【発明を実施するための形態】
【００１１】
次に本発明を実施するための最良の形態について図面を参照して説明する。
＜システム構成の説明＞
〔第１実施形態〕
図１は、本実施形態を示す画像形成装置の構成を説明するブロック図である。本実施形態では、ジョブ処理を実行するデバイスとしてプリント処理機能を実行するプリンタ装置４、スキャン処理機能を実行するスキャナ装置２と、プリンタ装置４又はスキャナ装置２のために行う画像処理機能を実行する画像処理ユニット５を備える例を示すがこれに限定されるものではない。なお、本実施形態に示す画像形成装置においては、異なる処理を行う上記複数のデバイスを用いて行うジョブ処理を制御する制御装置（コントローラ）３を備える。
【００１２】
図１において、２はスキャナ装置で、原稿から光学的に画像を読み取りデジタル画像に変換する。４はプリンタ装置で、デジタル画像を紙デバイスに出力する。８は操作部で、表示部と指示部を備え、ユーザから本装置に対する操作指示を受け付ける。７はＦＡＸ装置で、電話回線等にデジタル画像を送信する。
【００１３】
１４はハードディスクで、デジタル画像や制御プログラム等を記憶する。３はコントローラ（制御装置）で、バスに接続される各デバイスを制御して、ジョブ処理を実行する。画像形成装置１は、ＬＡＮ９経由でコンピュータ１０からデジタル画像の入出力、ジョブの発行や機器の指示等も行なうことが可能である。
【００１４】
スキャナ装置２は、自動的に原稿束を逐次入れ替えることが可能な原稿給紙ユニット１１、原稿を光学スキャンしデジタル画像に変換する事が可能なスキャナユニット１２から成り、変換された画像データはコントローラ３に送信される。
【００１５】
プリンタ装置４は、紙束から一枚ずつ逐次給紙可能な給紙ユニット１８、給紙した紙に画像データを印刷するためのマーキングユニット１６、印刷後の紙を排紙するための排紙ユニット１７から成る。
【００１６】
コントローラ３は、ＣＰＵ１３を有し、スキャナ装置２及びプリンタ装置４と画像データの送受信及び保存を行う。すなわち、コントローラ３ではスキャナ装置２から受信した画像データを、メモリ１５に一時保存する。その後、ハードディスク１４へと画像データを格納する事で画像のスキャンと保存が完了する。
【００１７】
コントローラ３は、ハードディスク１４から画像データをメモリ１５に一時保存し、メモリ１５からプリンタ装置４に画像データを送信することによりプリント出力を行うことができる。また、画像処理ユニット５は、汎用画像処理部１９を有し、汎用画像処理部１９は、メモリ１５に保存した画像データを、例えば縮小等の処理を行ったものを再度メモリ１５に保存する。この汎用画像処理部１９は必要に応じて様々な場面で使用する。
画像形成装置１は、コントローラ３が制御する操作部８を有し、オペレータ操作もしくは、ＬＡＮ９からの指示をＣＰＵ１３が解釈し、以下に示す多彩なジョブ処理を実行可能である。
一例を以下に記載する。
〔複写ジョブ処理〕
スキャナ装置２から読み込んだ画像をハードディスク１４に保存し、同時にプリンタ装置４を使用して印刷を行なう。
【００１８】
〔画像送信ジョブ処理〕
スキャナ装置２から読み込んだ画像をハードディスク１４に保存し、ＬＡＮ９を経由してコンピュータ１０に送信する。
〔画像保存ジョブ処理〕
スキャナ装置２から読み込んだ画像をハードディスク１４に保存し、必要に応じて画像送信や画像印刷を行なう。
〔画像印刷ジョブ処理〕
コンピュータ１０から送信された例えばページ記述言語を解析し、プリンタ装置４で印刷する。
【００１９】
〔ＦＡＸ受信ジョブ処理〕
ＦＡＸ装置７から受信したＦＡＸ画像をハードディスク１４に保存し、同時にプリンタ装置４を使用して印刷を行う。
〔ＦＡＸ転送ジョブ処理〕
ＦＡＸ装置７から受信したＦＡＸ画像をハードディスク１４に保存し、同時にＬＡＮ９を経由してコンピュータ１０等に転送する。
〔ＦＡＸメモリ受信ジョブ処理〕
ＦＡＸ装置７から受信したＦＡＸ画像をハードディスク１４に保存し、オペレータからの参照を待つ。
【００２０】
〔ＦＡＸ送信ジョブ処理〕
スキャナ装置２から読み込んだ画像をハードディスク１４に保存し、同時にＦＡＸ装置７から公衆回線に送信する。
【００２１】
なお、多くのケースでハードディスク１４を介在するのは、ジョブに失敗した場合や、電源断等の異常状態からリカバリするためである。
【００２２】
電源装置６は、画像形成装置１における電源を供給する装置である。電源装置６は、装置ＯＦＦ時、ＡＣ電源２９はスイッチ３０により絶縁されている。電源装置６では、スイッチ３０をＯＮにすることでＡＣ−ＤＣコンバータ２０にＡＣ電源が供給され、ＤＣ電源が作られる。
この電源装置６は、ＣＰＵ１３の指示により装置全体を４つの独立した電源制御が可能である。
【００２３】
すなわち、ＣＰＵ１３からのスイッチ制御により、コントローラ部電力２５の電源をＯＦＦ／ＯＮ制御可能である。同様に、プリンタ部電力２８、スキャナ部電力２６、汎用画像処理部電力２７の電源をＯＦＦ／ＯＮ制御可能である。
ＣＰＵ１３は、これらのスイッチ２１〜２４を用いることで、適切に画像形成装置１の必要な場所に電力を供給する。以下に各電力状態ついて記載する。
〔スリープ状態〕
このモードは画像形成装置１自体の電力を可能な限り落した状態である。
【００２４】
ＣＰＵ１３の周辺デバイスは一般的なサスペンド状態（ＡＣＰＩ−Ｓ３等）とし、ジョブを検出可能な部分（スリープ時電力３１）のみの通電を行い、装置全体の電力を非常に少ない電力状態にすることができる。
【００２５】
具体的には、ＣＰＵ１３は装置の状態をメモリ１５に保存し、自分自身を含むコントローラ部電力２５の電源を落とす。この時、ＣＰＵ１３自身が動作しなくなるが、スリープ時電力３１がハード的にＯＮされ、ジョブが来たことだけが分かる状態となる。そして例えば、ＬＡＮ９からのネットワーク受信、ＦＡＸ装置７からのＦＡＸコール、操作部８の操作がなされた時に、ハードウェア的にコントローラ部電力２５がＯＮとなる。
【００２６】
ＣＰＵ１３はメモリ１５に保存された装置の状態をメモリ１５から読みだして、再設定を行い、コントローラ部電力２５の電源がＯＦＦされる直前の状態に復帰し、スタンバイ状態へと移行する。
スリープ状態はハードウェアの多くが動作できない状態であるため、スタンバイ状態に遷移するだけの機能しかない。
ジョブはスタンバイ状態に移行してから受け付ける。
【００２７】
〔スタンバイ状態〕
コントローラ部電力２５が通電されている状態である。操作部８からのオペレータによる操作、ＬＡＮ９からのネットワーク経由のジョブ等を受け付ける。
【００２８】
プリンタ部電力２８、スキャナ部電力２６、汎用画像処理部電力２７はＯＦＦとなっているため、ＣＰＵ１３はスイッチ２２から２４の使用するデバイスの電源を通電させた後に、所定のジョブを実行する。例えば以下のようにジョブ種に応じて各デバイスの電源をＯＮにする。
【００２９】
〔複写ジョブ処理時の電源状態〕
スキャナ部電力２６とプリンタ部電力２８をＯＮにし、先に述べたように複写機能を実現する。
〔画像送信ジョブ処理時の電源状態〕
スキャナ部電力２６のみをＯＮにし、読み取った画像データを送信する。
〔画像保存ジョブ処理時の電源状態〕
スキャナ部電力２６のみをＯＮにし、読み取った画像データを保存する。
【００３０】
〔画像印刷ジョブ処理時の電源状態〕
プリンタ部電力２８のみをＯＮにし、様々な画像データを印刷する。
〔ＦＡＸ受信プリント時の電源状態〕
プリンタ部電力２８と汎用画像処理部電力２７をＯＮにし、受信したＦＡＸ画像に汎用画像処理を施したのちに印刷する。
〔ＡＸ転送処理時の電源状態）
汎用画像処理部電力２７のみをＯＮにし、ＦＡＸ受信したデータを汎用画像処理したのちに転送する。
【００３１】
〔ＦＡＸメモリ受信処理時の電源状態〕
汎用画像処理部電力２７のみをＯＮにし、ＦＡＸ受信したデータを汎用画像処理した後、ハードディスク１４に保存する。
〔ＦＡＸ送信処理時の電源状態〕
スキャナ部電力２６と汎用画像処理部電力２７をＯＮにし、読み込んだＦＡＸ画像データを公衆回線に送信する。
【００３２】
ジョブが完了したらデバイスの電源を落とすことで、使用する時だけ必要なデバイスのみを通電させることが可能となり、スタンバイ時の待機電力を削減することが可能となる
【００３３】
図２Ａは、図１に示した操作部８に表示されるＵＩ画面の例を示す図である。
本ＵＩ画面は、メインメニューの画面であり、工場出荷設定で電源ＯＮ起動後やスリープ状態からの復帰後に最初に表示される画面である。
【００３４】
なお、図２Ａに示すＵＩ画面は、操作部８の表示部に対して最初に表示される画面に対応し、後述する設定／登録画面（図２Ｆ）により変更できる。メインメニュー画面では、ファンクションボタンが配置されている。コピーを行う場合はボタン２１１、ファクスを行う場合はボタン２１２、スキャンして保存する場合はボタン２１３、保存ファイルを利用する場合はボタン２１４、設定や登録を行う場合はボタン２１５を選択する。
【００３５】
図２Ｂは、図１に示した操作部８に表示されるＵＩ画面の例を示す図である。本ＵＩ画面は、コピー画面であり、ユーザがボタン２１１を選択するとコントローラ３は操作部８に本画面を表示する。ユーザは本画面で各種設定を行いコピーする。
【００３６】
図２Ｃは、図１に示した操作部８に表示されるＵＩ画面の例を示す図である。本ＵＩ画面は、スキャンして保存する機能の画面であり、ユーザがボタン２１３を選択するとコントローラ３は操作部８に本画面を表示する。ユーザは本画面でスキャンした文書の保存場所を決定し、文書をスキャンする。
【００３７】
図２Ｄは、図１に示した操作部８に表示されるＵＩ画面の例を示す図である。本ＵＩ画面は、保存ファイルの利用する機能の画面であり、ユーザがボタン２１４を選択するとコントローラ３は操作部８に本画面を表示する。ユーザは出力したい保存ファイルを選択し、文書を出力する。
【００３８】
図２Ｅは、図１に示した操作部８に表示されるＵＩ画面の例を示す図である。本ＵＩ画面は、ファクス画面であり、ユーザがボタン２１２を選択するとコントローラ３は操作部８に本画面を表示する。ユーザは送信先や送信設定を行い、ファクス送信を行う。
【００３９】
図２Ｆは、図１に示した操作部８に表示されるＵＩ画面の例を示す図である。本ＵＩ画面は、設定／登録画面の一例であり、ユーザが操作部８上にある設定登録ボタンを押下すると、コントローラ３は操作部８に本画面を表示する。ユーザは設定欄２６１で起動／復帰後に表示する画面を選択することができ、本図ではメインメニューに設定されている。ここで、ユーザがコピー画面を選択した場合は、電源ＯＮ起動後やスリープ復帰後に最初に表示される画面は図２Ｂのコピー画面となる。なお、設定欄２６１は、例えばコンボボックス２６３で構成し、ボタン２６２により、電源ＯＮ起動後やスリープ復帰後に最初に表示される画面を図２Ａ〜図２Ｅのいずれかを選択して登録することが可能に構成されている。なお、スリープ復帰ボタンは、ジョブ処理を実行可能な状態に遷移させる要求の指示を行うボタンであって、当該スリープ復帰ボタンの押下を受付けることにより、省電力モードを解除して通常のモードへ遷移させる制御が開始される。
【００４０】
図３は、本実施形態を示す画像形成装置におけるジョブ処理と通電デバイスとの対応を示す図である。
【００４１】
図３において、行には本システムで通電制御する装置を示し、列には本システムの機能を示している。ユーザがコピー機能を選択してジョブを実施させる場合は、スキャナ装置２、プリンタ装置４、コントローラ３、画像処理ユニット５のすべての装置の動作が必要となる。このため、図２Ｆの画面で、図２Ｂを復帰画面として登録している場合、ＣＰＵ１３は、電源装置６が備えるスイッチ２１〜２４をオン・オフ指示することで、コピー機能で使用するデバイスに電源供給を図４に示すＳ４０４で開始することができる。これにより、コントローラ３がスタンバイ状態に移行した後、コピージョブが投入されてから、ジョブ処理を開始するまでの時間を短縮できる。
【００４２】
同様に、スキャンして保存する機能を実施する場合は、スキャナ装置２、コントローラ３、画像処理ユニット５の動作が必要となる。このため、図２Ｆの画面で、図２Ｃを復帰画面として登録している場合、ＣＰＵ１３は、電源装置６が備えるスイッチ２１〜２４をオン・オフ指示することで、スキャン機能で使用するデバイスに電源供給を図４に示すＳ４０４で開始することができる。これにより、コントローラ３がスタンバイ状態に移行した後、スキャンジョブが投入されてから、ジョブ処理を開始するまでの時間を短縮できるとともに、プリンタ装置４への電力供給が制限されるため、節電効果を維持した状態でスキャンジョブを実行させることができる。
【００４３】
同様に、保存ファイルを利用する機能を実施する場合は、プリンタ装置４、コントローラ３、画像処理ユニット５の動作が必要となる。このため、図２Ｆの画面で、図２Ｄを復帰画面として登録している場合、ＣＰＵ１３は、電源装置６が備えるスイッチ２１〜２４をオン・オフ指示することで、保存ジョブ機能で使用するデバイスに電源供給を図４に示すＳ４０４で開始することができる。これにより、コントローラ３がスタンバイ状態に移行した後、保存ジョブが投入されてから、ジョブ処理を開始するまでの時間を短縮できる。
【００４４】
同様に、ファクシミリ機能を実施する場合は、スキャナ装置２、コントローラ３、画像処理ユニット５の動作が必要となる。その他の場合は、コントローラ３の動作が必要となる。このため、図２Ｆの画面で、図２Ｅを復帰画面として登録している場合、ＣＰＵ１３は、電源装置６が備えるスイッチ２１〜２４をオン・オフ指示することで、ファクシミリ機能で使用するデバイスに電源供給を図４に示すＳ４０４で開始することができる。これにより、コントローラ３がスタンバイ状態に移行した後、保存ジョブが投入されてから、ジョブ処理を開始するまでの時間を短縮できる。プリンタ装置４への電力供給が制限されるため、節電効果を維持した状態でファクシミリジョブを実行させることができる。
【００４５】
なお、ジョブ種類が決定する前でも、例えばコピー画面が選択された場合は、コピー機能を実施する可能性が高いと考えられる。そこで、本実施形態では、コピー等の機能の画面が起動時やスリープ復帰時の初期画面として設定されているときには、起動時やスリープ復帰時に、使用する装置の電源を図４に示すように制御する。
【００４６】
図４は、本実施形態を示す画像形成装置の制御方法を説明するフローチャートである。本例は、初期画面に対応づけたジョブ処理で使用するデバイスの復帰タイミングを制御する例である。本フローでは、スリープ状態からスタンバイ状態へ移行しジョブを実行する際に、コントローラ３がスタンバイする処理に並行して、ユーザが設定して登録した、復帰させる画面に対応づけられたジョブ機能で使用するデバイスに対して電源供給を開始させる制御例を説明する。なお、各ステップは、ＣＰＵ１３がハードディスク１４またはＲＯＭ等に記憶された制御プログラムを実行することにより実現される。以下、受け付けた指示に応じて、コントローラ３をスタンバイ状態に遷移させる際、表示すべき初期画面に対応づけられたジョブ処理の機能に基づいて特定されるデバイスに電力を供給する電力制御例を説明する。なお、本実施形態において、ジョブ処理を実行可能な状態に遷移させる指示は、電源投入指示または省電力状態から通常状態に復帰させる指示（スリープ復帰指示）の例を示す。
【００４７】
スリープ状態では、ユーザが操作部８にあるスリープ復帰ボタンを押下すると（Ｓ４０１）、前述の通りコントローラ３のＣＰＵ１３は、スリープ復帰処理を行う（Ｓ４０２）。コントローラ３は、復帰処理の最後に、図２Ｆに示すＵＩ画面を用いてユーザが登録した、操作部８に表示すべき画面がいずれの機能処理を行うジョブであるかを判断する。さらに、コントローラ３は、復帰時に表示すべきＵＩ画面で特定されるジョブ処理の機能を実行させるため、図３に示したジョブ処理と電力供給先との関係に従い、電源復帰時における表示すべき初期画面から投入できるジョブがいずれの装置の動作を必要とするかを判断する（Ｓ４０３）。
【００４８】
ここで、復帰時に表示すべきＵＩ画面に対応づけられたジョブ処理を実行するため、復帰動作を必要とする装置の動作が必要であるとＣＰＵ１３が判断した場合は、ＣＰＵ１３は、その装置の電源を入れ復帰処理を行う（Ｓ４０４）。これにより、復帰時に操作部８に初期画面として表示すべきＵＩ画面のジョブ処理を実行可能な状態にする。
【００４９】
そして、ＣＰＵ１３は、スタンバイ状態へ移行する（Ｓ４０５）。ユーザが操作部８に初期画面として表示されたＵＩ画面を用いて、ユーザがジョブ実行を指示すると（Ｓ４０６）、ＣＰＵ１３は実行ジョブに必要な装置の復帰処理状況が完了しているかどうかを判断する（Ｓ４０７）。
ここで、実行ジョブに必要な装置の復帰処理状況が完了しているとＣＰＵ１３が判断した場合、すぐにジョブ処理を実行して（Ｓ４０９）、本処理を終了する。
【００５０】
一方、Ｓ４０７で、実行ジョブに必要な装置の復帰処理状況が完了していないとＣＰＵ１３が判断した場合は、初期画面として表示すべきＵＩ画面に対応づけられたジョブ処理で使用されるデバイスがジョブ処理可能な状態に移行させて（Ｓ４０８）、Ｓ４０９へ進む
【００５１】
これにより、ユーザがジョブ実行を指示した後、通常は、Ｓ４０８でエンジン復帰処理を行うことはなくなるため、画像形成装置の応答性を低下させることなくユーザが初期画面に対応づけたジョブ処理を速やかに行える。
【００５２】
〔第２実施形態〕
【００５３】
以下、図１、図２、図３に示した画像形成装置において、スリープ状態からスタンバイ状態へ移行し、認証が必要な機能をユーザが使用するときの画像形成装置の電源供給先を制御する実施形態を説明する。
【００５４】
図５は、図１に示した操作部８に表示されるＵＩ画面の一例を示す図である。本例は、各機能のユーザ認証画面例である。このユーザ認証画面は、コピー機能は認証された特定のユーザのみに許可する場合など、機能ごとの使用制限を実施する場合に必要となる画面である。認証のアルゴリズムは任意であり、図５ではユーザ名５０１とパスワード５０２で認証を行うが、ＩＣカードや指紋等を用いた他の認証方法でも構わない。本実施形態では、ユーザが図５に示すＵＩ画面を用いて、初期画面に表示すべきジョブ処理の機能を選択すると、選択されたジョブ処理機能に基づく機能設定画面を初期画面としてハードディスク１４等に記憶しておく。そして、ＣＰＵ１３が記憶されたジョブ処理機能に応じて、表示すべき初期画面を特定される構成を採用している。なお、初期画面の特定方法は、第１実施形態においても同様である。
【００５５】
図６は、本実施形態を示す画像形成装置の制御方法を説明するフローチャートである。本例は、ユーザ認証処理で使用できると判断されたジョブが確定したタイミングで、当該ジョブで使用するデバイスに電力供給を開始してジョブ処理可能な状態に復帰させる制御例である。なお、各ステップは、ＣＰＵ１３がハードディスク１４またはＲＯＭ等に記憶された制御プログラムを実行することにより実現される。以下、コントローラ３をスタンバイ状態に遷移させる際、表示すべき初期画面を用いてユーザが選択するジョブ処理の機能を実行可能であると判断した場合は、選択されたジョブ処理の機能で特定されるデバイスに電力を供給する電力制御例を説明する。
【００５６】
ユーザが操作部８にあるスリープ復帰ボタンを押下すると（Ｓ６０１）、前述のとおりコントローラ３のＣＰＵ１３は、所定のスリープ復帰処理を行い（Ｓ６０２）、スタンバイ状態へ移行する。
【００５７】
ユーザは、復帰処理時に操作部８に図２Ａに示したＵＩ画面に対応するメインメニュー画面が表示されるので、当該メインメニュー画面を用いて使用する機能を選択する（Ｓ６０３）。ここで、ＣＰＵ１３は操作部８に対するユーザからの操作指示を確認して、選択された機能を特定される。その後、ＣＰＵ１３は図５に示したＵＩ画面として認証画面を操作部８に表示して、選択した機能をユーザが使用できる権限を有しているかどうかを判断する（Ｓ６０４）。なお、ユーザは、画像形成装置において、あらかじめ使用できる機能が管理者等により登録されているものとする。したがって、ＣＰＵ１２は、ユーザが選択するジョブ処理の機能を実行可能であるかどうかを登録されたユーザ情報に基づいて判断することが可能に構成されている。
【００５８】
ここで、ユーザが選択した機能を使用できるとＣＰＵ１３が判断した場合、ＣＰＵ１３は機能の使用を許可した時点で、図４に示した機能処理別の電源供給先に従い、その機能で必要となる装置の電源を入れ復帰設定を行う（Ｓ６０５）。そして、ユーザがジョブの設定を行っている間に、画像形成装置の当該選択されたジョブに関わるデバイスの復帰処理が行われる。そして、ユーザが操作部８を用いてジョブ実行を指示すると、ＣＰＵ１３はジョブが投入されたことを確認し、ジョブ処理を行い（Ｓ６０６）、本処理を終了する。
これにより、ユーザがジョブ実行を指示する前にエンジン復帰処理を行うため、省電力性能を落とすことなく、また装置の応答性を下げることなくジョブを処理できる。
【００５９】
〔第３実施形態〕
以下、図１、図２、図３に示した画像形成装置において、スリープ状態からスタンバイ状態へ移行し、画像形成装置を使用するユーザの使用履歴を用いて画像形成装置の電源供給先を制御する実施形態を説明する。なお、認証されるユーザが直前に選択したジョブの種別は、ハードディスク１４あるいは、図示しないサーバ装置を用いて管理されているものとする。また、ユーザ認証するデバイス、例えばＩＣカード等に直前に選択したジョブの種類を登録することで、ユーザ認証時に当該ＩＣカードをスキャンすることで、ユーザが直前に選択したジョブの種類を特定できるように構成してもよい。
【００６０】
図７は、本実施形態を示す画像形成装置の制御方法を説明するフローチャートである。本例は、画像形成装置に対するユーザが選択したジョブの使用履歴を確認したタイミングで、当該ジョブで使用するデバイスに電力供給を開始してジョブ処理可能な状態に復帰させる制御例である。なお、各ステップは、ＣＰＵ１３がハードディスク１４またはＲＯＭ等に記憶された制御プログラムを実行することにより実現される。以下、コントローラ３をスタンバイ状態に遷移させる際、認証されたユーザが直前に選択したジョブ処理の機能から特定されるデバイスに電力を供給する制御について詳述する。
【００６１】
ユーザが認証操作を行うことで、コントローラ３のＣＰＵ１３は、どのユーザが画像形成装置を操作しているかを認識する（Ｓ７０１）。なお、ユーザ認証方法は任意であり、ＩＣカード等を用いてスリープ復帰操作と同時に認証しても良いし、スリープ復帰ボタン押下後にユーザ名とログインを入力して認証しても良い。
【００６２】
そして、ＣＰＵ１３は電源装置６のスイッチを制御することでスリープ復帰処理を行い（Ｓ７０２）、スタンバイ状態へ移行する。ＣＰＵ１３は、認証したユーザの使用履歴に関わる情報から使用中のユーザが前回に行ったジョブの種類を特定し、画像形成装置のいずれのデバイスの動作を必要とするジョブかを判断する（Ｓ７０３）。そして、図４に示した機能処理別の電源供給先に従い、その機能で必要となる装置の電源を入れ復帰設定を行う（Ｓ７０４）。
【００６３】
ユーザが操作部８を用いてジョブ実行を指示すると（Ｓ７０５）、ＣＰＵ１３は実行すべきジョブに必要なデバイスの復帰処理が完了しているかどうかを判断する（Ｓ７０６）。ここで、すでに画像形成装置の各デバイスの復帰が行われていたとＣＰＵ１３が判断した場合、ＣＰＵ１３は、操作部８を用いて受け付けたジョブ処理を行い（Ｓ７０８）、本処理を終了する。
【００６４】
一方、Ｓ７０６で、ＣＰＵ１３は実行すべきジョブに必要なデバイスの復帰処理が完了していないと判断した場合、画像形成装置の各デバイスの復帰処理を継続させ（Ｓ７０７）、Ｓ７０８へ進む。
これにより、ユーザがジョブ実行を指示した後に、通常は、エンジン復帰処理（Ｓ７０７）を行わないため、画像形成装置の応答性を低下させることなくジョブを処理できる。
上記実施形態によれば、コントローラがスタンバイ状態に移行するのに並行して、ユーザが実行すべきジョブ処理機能で特定されるデバイスへの電力供給を開始できる。
また、ユーザが必要とするデバイス以外への電力供給を制限できるため、省電力効果も期待できるとともに、コントローラがスタンバイ状態移行後には、速やかにユーザが要求するジョブ処理を実行できる。
【００６５】
本発明の各工程は、ネットワーク又は各種記憶媒体を介して取得したソフトウエア（プログラム）をパソコン（コンピュータ）等の処理装置（ＣＰＵ、プロセッサ）にて実行することでも実現できる。
【００６６】
本発明は上記実施形態に限定されるものではなく、本発明の趣旨に基づき種々の変形（各実施形態の有機的な組合せを含む）が可能であり、それらを本発明の範囲から除外するものではない。
【符号の説明】
【００６７】
１  画像形成装置
２  スキャナ装置
３  コントローラ
４  プリンタ装置
５  画像処理ユニット
６  電源装置
【図１】
2014089493.tif 000003
【図２Ａ】
2014089493.tif 000004
【図２Ｂ】
2014089493.tif 000005
【図２Ｃ】
2014089493.tif 000006
【図２Ｄ】
2014089493.tif 000007
【図２Ｅ】
2014089493.tif 000008
【図２Ｆ】
2014089493.tif 000009
【図３】
2014089493.tif 000010
【図４】
2014089493.tif 000011
【図５】
2014089493.tif 000012
【図６】
2014089493.tif 000013
【図７】
2014089493.tif 000014